【手続補正書】
【提出日】平成24年9月13日(2012.9.13)
【手続補正１】
【補正対象書類名】特許請求の範囲
【補正対象項目名】全文
【補正方法】変更
【補正の内容】
【特許請求の範囲】
【請求項１】
被検者の器官のインピーダンスを示す入力信号の絶対成分および位相成分を取得するステップと、
前記位相成分に基づいて被検者のベースライン血流量を決定するステップと、
少なくとも前記絶対成分に基づいて血流量の過渡変化を決定するステップと、
前記ベースライン血流量および前記血流量の過渡変化を表示するステップと
を含む方法。
【請求項２】
前記絶対成分に基づいて前記入力信号の外乱を識別するステップと、前記識別された外乱に応じて前記ベースライン血流量を補正するステップとをさらに含む、請求項１に記載の方法。
【請求項３】
前記絶対成分に基づいて被検者の体動を識別するステップをさらに含む、請求項１〜２のいずれかに記載の方法。
【請求項４】
前記絶対成分に基づいて被検者の筋活動を識別するステップをさらに含む、請求項１〜２のいずれかに記載の方法。
【請求項５】
前記血流量の過渡変化は、１分以下の期間によって特徴付けられる、請求項１〜４のいずれかに記載の方法。
【請求項６】
１回拍出量、心拍出量、心収縮性、心室駆出時間、心係数、胸部体液容量、総末梢血管抵抗指数、およびそれらの任意の組合せから成る群から選択された少なくとも１つの数量を計算するステップをさらに含む、請求項１〜５のいずれかに記載の方法。
【請求項７】
前記少なくとも１つの数量の計算は、
前記絶対成分を用いて前記少なくとも１つの数量の時間依存性を計算して第１時間依存性を提供すること、および
前記位相成分を用いて前記少なくとも１つの数量の時間依存性を計算して第２時間依存性を提供することを含み、
該方法はさらに、前記第１および第２時間依存性の間の相関係数を計算するステップと、
前記相関係数に応答して前記少なくとも１つの数量を表示するステップと
を含む、請求項６に記載の方法。
【請求項８】
前記絶対成分および前記位相成分を使用して、前記血流量に関連付けられる特性キャパシタンスおよび特性抵抗を計算するステップと、前記特性キャパシタンスおよび前記特性抵抗に応答して血管コンプライアンスを評価するステップとをさらに含む、請求項１〜７のいずれかに記載の方法。
【請求項９】
被検者は熱性被検者であり、該方法は、前記熱性被検者を敗血症または非敗血症として分類するためのスコアを計算することをさらに含む、請求項１〜８のいずれかに記載の方法。
【請求項１０】
被験者は息切れを持ち、該方法は、前記被験者をうっ血性心不全または慢性閉塞性肺疾患を持つものとして分類するためのスコアを計算することをさらに含む、請求項１〜８のいずれかに記載の方法。
【請求項１１】
データプロセッサに請求項１〜１０のいずれかに記載の方法を実行するように命令するためのコード手段を含むコンピュータプログラムが格納されたコンピュータ可読媒体。
【請求項１２】
診断のためのシステムであって、
被検者の器官のインピーダンスを示す入力信号を被検者から受信するように構成された入力ユニットと、
前記入力信号を絶対成分および位相成分に分離するように構成された信号分離ユニットと、
前記位相成分に基づいて被検者のベースライン血流量を決定し、かつ少なくとも前記絶対成分に基づいて血流量の過渡変化を決定するように構成された処理ユニットと、
前記ベースライン血流量および前記血流量の過渡変化を表示するための出力ユニットとを備えるシステム。
【請求項１３】
発振信号を生成するための電気発振器と、前記発振信号を被検者に送信し、かつ前記発振信号に対する被検者の応答を検知するための複数のコンタクト電極とを備え、前記入力ユニットは前記応答を受信する、請求項１２に記載のシステム。
【請求項１４】
前記信号分離ユニットは、前記絶対成分を前記入力信号から分離するためのエンベロープ識別装置を含む、請求項１２又は１３に記載のシステム。
【請求項１５】
前記信号分離ユニットは、前記入力信号を被検者に送信された発振信号を示す信号と混合して混合信号を提供するための混合器と、前記混合信号の一部分を除去し、それによって前記位相成分を前記入力信号から分離するためのフィルタとを含む、請求項１２〜１４のいずれかに記載のシステム。
【請求項１６】
前記処理ユニットは、前記絶対成分に基づいて前記入力信号の外乱を識別し、かつ前記識別された外乱に応じて前記ベースライン血流量を補正するように構成される、請求項１２〜１５のいずれかに記載のシステム。
【請求項１７】
前記処理ユニットは、前記絶対成分に基づいて被検者の体動を識別するように構成される、請求項１２〜１６のいずれかに記載のシステム。
【請求項１８】
前記処理ユニットは、前記絶対成分に基づいて被検者の筋活動を識別するように構成される、請求項１２〜１６のいずれかに記載のシステム。
【請求項１９】
前記血流量の過渡変化は１分以下の期間によって特徴付けられる、請求項１２〜１８のいずれかに記載のシステム。
【請求項２０】
前記信号分離ユニットはアナログであり、前記処理ユニットはデジタルである、請求項１２〜１９のいずれかに記載のシステム。
【請求項２１】
前記処理ユニットは、１回拍出量、心拍出量、心収縮性、心室駆出時間、心係数、胸部体液容量、総末梢血管抵抗指数、およびそれらの任意の組合せから成る群から選択された少なくとも１つの数量を計算するように構成される、請求項１２〜２０のいずれかに記載のシステム。
【請求項２２】
前記処理ユニットは、前記絶対成分を用いて前記少なくとも１つの数量の時間依存性を計算して第１時間依存性を提供し、前記位相成分を用いて前記少なくとも１つの数量の時間依存性を計算して第２時間依存性を提供し、かつ前記第１および前記第２時間依存性の間の相関係数を計算するように構成され、前記出力ユニットは前記相関係数に応答して前記少なくとも１つの数量を表示する、請求項２１に記載のシステム。
【請求項２３】
前記入力ユニットは被検者からＥＣＧ信号を受信するように構成され、前記処理ユニットは、前記ＥＣＧ信号に基づいて前記入力信号をセグメント化して、各々が被検者の単一拍動に対応する時系列のセグメントを画定し、かつ前記セグメントの少なくとも１つに対し、前記セグメントの拍動形態を決定し、かつ前記拍動形態に基づいて、前記少なくとも１つのセグメントを診断から除外するか否かを決定するように構成される、請求項１２〜２２のいずれかに記載のシステム。
【請求項２４】
前記セグメント化および前記拍動形態の決定は、前記絶対成分および前記位相成分に対して別々に実行され、前記少なくとも１つのセグメントを除外するか否かの決定は、前記絶対成分から決定された拍動形態を、前記位相成分から決定された拍動形態と比較することを含む、請求項２３に記載のシステム。
【請求項２５】
前記処理ユニットは、前記絶対成分および前記位相成分の使用に基づいて前記血流量に関連付けられる特性キャパシタンスおよび特性抵抗を計算し、かつ前記特性キャパシタンスおよび前記特性抵抗に応答して血管コンプライアンスを評価するように構成される、請求項１２〜２４のいずれかに記載のシステム。
【請求項２６】
被検者は熱性被検者であり、前記処理ユニットは、前記熱性被検者を敗血症または非敗血症として分類するためのスコアを計算するように構成されている、請求項１２〜２５のいずれかに記載のシステム。
【請求項２７】
被験者は息切れを持ち、前記処理ユニットは、前記被験者をうっ血性心不全または慢性閉塞性肺疾患を持つものとして分類するためのスコアを計算するように構成されている、請求項１２〜２５のいずれかに記載のシステム。